(57)【要約】【課題】外観意匠性の更なる向上を実現することができるとともに、清掃性のさらなる向上を実現することができ、さらに衛生性の低下を抑制することができる小便器装置を提供する。【解決手段】本発明に係る小便器装置は、ボウル部を有する小便器と、ボウル部へ洗浄水を吐出する吐水部と、を備えた小便器装置において、吐水部を背壁部の背面側に配置することで、外観意匠性の更なる向上を実現することができるとともに、清掃性のさらなる向上を実現することができるものである。【選択図】  図５
2015055092.tif 000002
【特許請求の範囲】
【請求項１】
ボウル部を有する小便器と、前記ボウル部を洗浄する洗浄水を吐出する吐水部と、を備えた小便器装置において、
前記ボウル部は、上下方向に延在し使用者と対向する背壁部と、前記背壁部の下方に位置する底部と、を有し、
前記背壁部は、前記小便器の上下方向の中央よりも上方に、開口が形成された開口部を有し、
前記開口部は、前記開口部よりも上方の前記背壁部に連続形成された前側背壁と、前記前側背壁の後方に位置し、前記開口部よりも下方の前記背壁部に連続形成された後側背壁とから構成されることで、下方へ向けて開口しており、
前記吐水部は、前記開口部の開口へ向けて洗浄水を吐出可能に形成されていることを特徴とする小便器装置。
【請求項２】
前記開口部は、前記後側背壁の上端部の少なくとも一部が、前記前側背壁の下端部よりも上方に位置するように形成されており、
前記吐水部は、前記後側背壁の上端部に配置されていることを特徴とする請求項１に記載の小便器装置。
【請求項３】
人体または尿流を検知する人体検知センサーを備え、
前記吐水部は、前記人体検知センサーの検知情報に基づいて、前記ボウル部に洗浄水を供給し、
前記人体検知センサーは、前記背壁部の背面側に配置されていることを特徴とする請求項１または請求項２に記載の小便器装置。
【請求項４】
前記前側背壁の表面と、前記後側背壁の下端と前記底部とを繋ぐ部分の前記背壁部の表面とが、所定の同一仮想面上となるように形成されていることを特徴とする請求項１から請求項３のいずれか１項に記載の小便器装置。
【請求項５】
前記開口部の開口の横幅は、前記吐水部の横幅よりも大きいことを特徴とする請求項１から請求項４のいずれか１項に記載の小便器装置。
【請求項６】
前記開口部の開口の形状は、前記開口部の両端に向かうにつれて徐々に狭くなることを特徴とする請求項１から請求項５のいずれか１項に記載の小便器装置。
【発明の詳細な説明】
【技術分野】
【０００１】
本発明は、吐水部から水を吐出し、小便器を洗浄する小便器装置に関する。
【背景技術】
【０００２】
従来、小便器のボウル部に向けて放射状に洗浄水を吐出する吐水部を有する小便器装置が知られている。例えば、特許文献１に記載の小便器装置では、ボウル部に向けて放射状に洗浄水を吐出する吐水部がボウル部内空間に取り付けられており、この吐水部の吐水孔から洗浄水を放射状に吐出する。吐出された洗浄水はボウル部の表面に沿って流下し、ボウル部の表面を洗浄してボウル部の下部に設けられた排水口から排出される。
【先行技術文献】
【特許文献】
【０００３】
【特許文献１】特開２００７−３２１５４３号公報
【発明の概要】
【発明が解決しようとする課題】
【０００４】
しかしながら、例えば特許文献１に記載の小便器装置では、洗浄水をボウル部へ吐出するための吐水部がボウル部の表面に突出していることにより、ボウル部の表面と吐水部との段差があるため、ボウル部を拭き掃除する際に、吐水部の周りが拭き難く、ボウル部の清掃を行うときに手間がかかっていた。また、吐水部がボウル部の表面に突出していることにより、外観意匠性が低下していた。さらに、公共性の高い設置現場においては、ボウル部の表面に突出している吐水部にタバコの火を押し付けやガムなどの貼り付けが行われたり、吐水部が排泄の標的とされたりする等、使用者によっていたずらをされることで吐水部が汚損され、衛生性が低下する畏れがあった。
【０００５】
本発明では、外観意匠性の更なる向上を実現することができるとともに、清掃性のさらなる向上を実現することができ、さらに衛生性の低下を抑制することができる小便器装置を提供することを目的とする。
【課題を解決するための手段】
【０００６】
上記目的を達成するため、本発明に係る小便器装置においては、ボウル部を有する小便器と、前記ボウル部を洗浄する洗浄水を吐出する吐水部と、を備えた小便器装置において、前記ボウル部は、上下方向に延在し使用者と対向する背壁部と、前記背壁部の下方に位置する底部と、を有し、前記背壁部は、前記小便器の上下方向の中央よりも上方に、開口が形成された開口部を有し、前記開口部は、前記開口部よりも上方の前記背壁部に連続形成された前側背壁と、前記前側背壁の後方に位置し、前記開口部よりも下方の前記背壁部に連続形成された後側背壁とから構成されることで、下方へ向けて開口しており、前記吐水部は、前記開口部の開口へ向けて洗浄水を吐出可能に形成されていることを特徴とする。
【０００７】
このような構成の小便器装置によれば、吐水部は開口部の開口へ向けて洗浄水を吐出可能に形成されているため、吐水部は背壁部の背面側に配置されており、従来の小便器装置と比べて、小便器装置全体の外観意匠性を向上することができる。また、ボウル部の表面の凹凸を減らすことができ、清掃性を向上させることができる。さらに、吐水部は使用者から見えにくい位置に配置されるので、吐水部に対する使用者によるいたずらを抑制することができ、衛生性が低下することを抑制できる。
【０００８】
また、本発明においては、前記開口部は、前記後側背壁の上端部の少なくとも一部が前記前側背壁の下端部よりも上方に位置するように形成されており、前記吐水部は、前記後側背壁の上端部に配置されていることを特徴とする。
【０００９】
このような構成の小便器装置によれば、後側背壁の上端部の少なくとも一部が前記前側背壁の下端部よりも上方に位置するように形成されており、吐水部は、後側背壁の上端部に配置されているため、簡易な構成により、吐水部を使用者から見えにくい位置に取付固定することができる。よって、簡易な構成により、小便器装置全体の外観意匠性を向上することができるとともに清掃性を向上することができる。さらに、衛生性の低下を抑制することができる。
【００１０】
また、本発明においては、人体または尿流を検知する人体検知センサーを備え、前記吐水部は、前記人体検知センサーの検知情報に基づいて、前記ボウル部に洗浄水を供給し、前記人体検知センサーは、前記背壁部の背面側に配置されていることを特徴とする。
【００１１】
このような構成の小便器装置によれば、人体検知センサーは、背壁部の背面側に配置されているため、ボウル部の表面の凹凸をより減らすことができる。よって、人体検知センサーを有する小便器装置においても、小便器装置全体の外観意匠性を向上することができるとともに清掃性を向上することができる。さらに、衛生性の低下を抑制することができる。
【００１２】
また、本発明においては、前記前側背壁の表面と前記後側背壁の下端と前記底部とを繋ぐ部分の前記背壁部の表面とが、所定の同一仮想面上になるように形成されていることを特徴とする。
【００１３】
このような構成の小便器装置によれば、前側背壁の表面と後側背壁の下端と前記底部とを繋ぐ前記背壁部の表面が、所定の同一仮想面上となるように形成されているため、背壁部の表面の凹凸を最小限に抑えることができる。よって、ボウル部の背壁部の表面を清掃する際に、背壁部の表面をひと拭きで掃除することができ、清掃性が向上する。さらに、背壁部の表面において開口部の存在を目立たなくさせることができ、背壁部の表面形状の統一感が増し、意匠的な外観を向上させることができる。
【００１４】
また、本発明においては、前記開口部の開口の横幅は、前記吐水部の横幅よりも大きく、前記開口部の開口の形状は、前記開口部の両端に向かうにつれて徐々に狭くなることを特徴とする。
【００１５】
このような構成の小便器装置によれば、開口部の開口の横幅は、吐水部の横幅よりも大きいため、吐水部からボウル部へ向けて洗浄水を放射線状に吐出した際に、開口部の開口付近において、洗浄水の流れが阻害されてしまうことを抑制することができる。
【００１６】
また、本発明においては、前記開口部の開口の形状は、前記開口部の両端に向かうにつれて徐々に狭くなることを特徴とする。
【００１７】
このような構成の小便器装置によれば、開口部の開口は、両端に向かうにつれて狭くなるため、吐水部からボウル部へ向けて洗浄水を放射線状に吐出した場合に、開口部の開口よりも下側の領域において、洗浄水の流れが阻害されてしまうことを防止することができる。また、開口部の開口を両端に向かうにつれて狭くすることで、前側背壁と後側背壁との一体感を形成することができる。
【発明の効果】
【００１８】
本発明によれば、外観意匠性の更なる向上を実現することができるとともに、清掃性の向上を実現することができる。さらに衛生性の向上を実現することができる。
【図面の簡単な説明】
【００１９】
【図１】本発明の実施形態に係る小便器装置の斜視図である。
【図２】本発明の実施形態に係る小便器装置の底面斜視図である。
【図３】本発明の実施形態に係る小便器装置の断面図である。
【図４】本発明の実施形態に係る小便器装置の断面図の一部を拡大した拡大図である。
【図５】本発明の実施形態に係る小便器装置の断面図の一部を拡大した拡大図である。
【図６】本発明の実施形態に係る小便器装置の変形例を示す断面拡大図である。
【発明を実施するための形態】
【００２０】
本発明に係る小便器装置は、ボウル部を有する小便器と、ボウル部を洗浄する洗浄水を吐出する吐水部と、を備えた小便器装置において、吐水部を背壁部の背面側に配置することで、外観意匠性の更なる向上を実現することができるとともに、清掃性の向上を実現することができるものである。さらに衛生性の向上を実現することができるものである。以下、本発明の実施の形態を説明する。
【００２１】
本発明の実施形態に係る小便器装置について、図１〜図５を用いて説明する。図１は、本発明の実施形態に係る小便器装置の斜視図である。図２は、本発明の実施形態に係る小便器装置の底面斜視図である。図３は、本発明の実施形態に係る小便器装置の断面図である。図４は、本発明の実施形態に係る小便器装置の一部を拡大した拡大図であり、図３に示す領域Ａを示している。図４では、スプレッダーおよびナットの図示を省略している。図５は、本発明の実施形態に係る小便器装置の一部を拡大した拡大図であり、図３に示す領域Ａを示している。
【００２２】
図１〜図３に示すように、本実施形態の小便器装置１は、小便器２と、スプレッダー（吐水部）３と、人体検知センサー４と、を備える。
【００２３】
小便器２は、小便器本体５と、小便器蓋６と、を有する。小便器本体５は、上面が開口している。小便器蓋６により、小便器本体５の上面の開口は覆われる。
【００２４】
図１〜図３に示すように、小便器本体５は、使用者から排泄された尿を受けるボウル部７を有する。ボウル部７は、上下方向に延在し使用者と対向する背壁部８と、背壁部８の下方に位置する底部９と、を有する。
【００２５】
背壁部８は、小便器２の上下方向の中央よりも上方に、開口１４が形成された開口部１０を有する。図４に示すように、開口部１０は、開口部１０よりも上方の背壁部８に連続形成された前側背壁１１と、開口部１０よりも下方の背壁部８に連続形成された後側背壁１２と、から構成される。
【００２６】
図４に示すように、後側背壁１２は、開口部１０よりも下方の背壁部８と連続形成され、後側向けて延出する水平壁部分１２ａと、水平壁部分の後方側の端部から上方へと延出する固定壁部分１２ｂとにより形成される。また、後側背壁１２の固定壁部分１２ｂの上端部、つまり後側背壁１２の上端部１３には、左右方向の中央を略Ｕ字形状に切り欠いた切り欠き部２８が形成される。この切り欠き部２８は、後述するようにスプレッダー３を嵌め込んで固定するために用いられる。
【００２７】
図４および図５に示すように、後側背壁１２は、小便器２の前後方向において、前側背壁１１よりも後方に位置している。これにより、開口部１０に形成された開口１４は、下方へ向けて開口している。すなわち、下側を端部側とする前側背壁１１の下端部１５の後面と、前側背壁１１の後方に位置し上側を端部側とする後側背壁１２の上端部１３の前面との隙間部分が、下方に向けて開口する開口部１０の開口１４となる。本実施形態では、開口部１０付近において、前側背壁１１が背壁部８から前方へ膨出することにより、相対的に後側背壁１２が前側背壁１１よりも後方に位置し、開口部１０において、下方へ向けて開口する開口１４が実現されている。
【００２８】
本実施形態に係る小便器装置１では、開口部１０は、ボウル部７の背壁部８の上部において左右方向の中間部に設けられ、下側に向けて開口するスリット状の開口１４を形成する。したがって、背壁部８において、開口部１０の周囲つまり開口部１０の上下左右の部分は連続的な背壁部８の表面を形成するとともに、開口部１０の部分で背壁部８が前側背壁１１と後側背壁１２とに前後に分離し、これらの前後の背壁の間の隙間として、下側に向けて開口するスリット状の開口１４が形成されている。
【００２９】
また、開口部１０は、開口１４の横幅の大きさが、スプレッダー３の横幅よりも大きく、且つ、開口１４の形状が、両端に向けて徐々に狭くなるように形成されている。また、後側背壁１２の上端部１３の一部は、前側背壁１１の下端部１５よりも上方に位置する。言い換えると、前側背壁１１は、後側背壁１２の上端部１３の一部に覆い被さるように形成されている。すなわち、後側背壁１２においてスプレッダー３が配置される部位を前側背壁１１と前後に重複する位置とすることにより、スプレッダー３が前側背壁１１によって覆い隠されるため、背壁部８の外観意匠性を向上することができる。このように、前側背壁１１の下端部１５とその後方に位置する後側背壁１２の上端部１３とは、少なくとも互いの一部同士を前後方向にオーバーラップさせている。なお、本実施形態では、後側背壁１２の上端部１３の一部が前側背壁１１の下端部１５よりも上方に位置するが、後側背壁１２の上端部１３の全部が前側背壁１１の下端部１５よりも上方に位置してもよい。
【００３０】
図３に示すように、ボウル部７の底部９は、排水口１６を有する。排泄された尿や洗浄水は、排水口１６から外部に設けられた排水管（図示なし）へと排出される。
【００３１】
スプレッダー３は、ボウル部７の表面を洗浄するための洗浄水を放射線状に吐出するものである。すなわち、スプレッダー３による吐水は、スプレッダー３の流出口２１を起点に扇形に広がるように行われる。本実施形態では、スプレッダー３は、後側背壁１２の固定壁部分１２ｂの上端部、つまり後側背壁１２の上端部１３に配置されている。図５に示すように、スプレッダー３は、内部に流路１７を有する中空形状である。スプレッダー３の外周面の中央付近には、外方へ向けて板状に突出する突起部１８と、ナット１９をねじ込むためのネジ溝（図示なし）が形成されている。スプレッダー３の流入口２０は、図示しないホース等に接続される。また、スプレッダー３は、その流出口２１が、スプレッダー３が後側背壁１２の上端部１３に固定された状態で、洗浄水の吐出方向が後側背壁１２の表面に沿う方向に指向するよう配置されている。すなわち、スプレッダー３は、スプレッダー３が後側背壁１２の上端部１３に固定された状態で、開口部１０の開口１４へ向けて洗浄水を吐出可能となるように形成されている。スプレッダー３の流出口２１から噴射された洗浄水は、開口部１０の開口１４から出て後側背壁１２から背壁部８の表面に沿って流れ、底部９の排水口１６から排出される。
【００３２】
次に、スプレッダー３の固定方法について、図１および図５を用いて説明する。スプレッダー３は、後側背壁１２の固定壁部分１２ｂの上端部、つまり、後側背壁１２の上端部１３に形成された切り欠き部２８に嵌め込まれる。このとき、スプレッダー３は、流出口２１が下方へ向き、且つ、突起部１８が後側背壁１２の上端部１３よりも前方側に位置するように、切り欠き部２８へと嵌め込まれる。スプレッダー３を切り欠き部２８に嵌め込んだ後、ナット１９をスプレッダー３の外周面に形成されたネジ溝に対しねじ込むことで、スプレッダー３は後側背壁１２に固定される。詳細には、スプレッダー３は、後側背壁１２の上端部１３に形成された切り欠き部２８に嵌め込まれることで、下方に突出する流出口２１を形成する部分による後側背壁１２の水平壁部分１２ａの前面に対する係止作用、および突起部１８による後側背壁１２の固定壁部分１２ｂに対する係止作用の少なくともいずれかにより、後方への移動が規制された状態となる。そして、かかる状態のスプレッダー３に対して後側背壁１２の固定壁部分１２ｂの後側からナット１９がねじ込まれることで、スプレッダー３は、後側背壁１２の固定壁部分１２ｂに対する係止部分とナット１９とにより後側背壁１２の固定壁部分１２ｂを挟んだ状態で後側背壁１２に固定される。
【００３３】
人体検知センサー４は、使用者（人体）または尿流を検知するものであり、背壁部８の背面側に配置される。具体的には、本実施形態では、図４および図５に示すように、人体検知センサー４は、前側背壁１１を形成する背壁部８の上端部分の背面側（後側）であって、スプレッダー３の上方となる、上前側の角部分に設けられている。スプレッダー３は、人体検知センサー４の検知情報に基づいて、ボウル部７に洗浄水を供給する。例えば、人体検知センサー４が、使用者が小便器装置１から離間したことを検知すると、スプレッダー３はボウル部７に洗浄水を供給する。なお、人体検知センサー４の検知手段として、例えば、マイクロ波を利用したドップラーレーダー方式を用いることで、小便器２の背壁部８の背面側に配置可能である。
【００３４】
以上のように、本実施形態に係る小便器装置１では、スプレッダー３は、前側背壁１１の背面側に固定される。すなわち、スプレッダー３は、前側背壁１１により前側から覆われることで使用者から見えにくい位置に配置される。本実施形態では、スプレッダー３が前側背壁１１の後方に位置する後側背壁１２の上端部１３に固定されることにより、簡単にスプレッダー３を使用者から見えにくい位置に取付固定することができる。このように、スプレッダー３が使用者から見えにくい位置に配置されているため、従来の小便器装置と比べて、小便器装置全体の外観意匠性を向上することができる。
【００３５】
また、スプレッダー３は、後側背壁１２の上端部１３に設けられることにより、前側背壁１１により前側から覆われ、背壁部８の表面側には露出していない状態、つまり背壁部８の表面上に突出しない状態で設けられることになる。このようにスプレッダー３がボウル部７の表面に突出するように固定されていない分、背壁部８の表面の凹凸を減らすことができる。よって、ボウル部７を拭き掃除する際に、ボウル部７の表面と、スプレッダー３とをそれぞれ別々に拭き掃除する必要がない。よって、ボウル部７の清掃性を向上することができる。
【００３６】
さらに、スプレッダー３が使用者から見えにくい位置に配置されるため、スプレッダー３に対する使用者によるいたずらを抑制することができる。よって、スプレッダー３へのいたずらによる衛生性の低下を抑制することができる。
【００３７】
また、本実施形態に係る小便器装置１では、人体検知センサー４は、背壁部８の背面側に配置される。すなわち、人体検知センサー４は、使用者から見えない位置に配置される。よって、人体検知センサー４を備える小便器装置１においても、従来の小便器装置と比べて、小便器装置全体の外観意匠性を向上することができる。
【００３８】
また、人体検知センサー４がボウル部７の表面に突出するように配置されていない分、背壁部８の表面の凹凸を減らすことができる。よって、ボウル部７を拭き掃除する際に、人体検知センサー４を別途拭き掃除する必要がない。よって、人体検知センサー４を備える小便器装置１においても、ボウル部７の清掃性を向上することができる。
【００３９】
また、人体検知センサー４が使用者から見えない位置に配置されるため、人体検知センサー４に対する使用者によるいたずらを抑制することができる。よって、人体検知センサー４を備える小便器装置１においても、人体検知センサー４のいたずらによる衛生性の低下を抑制することができる。
【００４０】
また、開口部１０に形成された開口１４の横幅の大きさは、スプレッダー３の横幅よりも大きくなるように形成されているため、スプレッダー３からボウル部７に向けて放射線状に洗浄水を吐出する際に、開口部１０の開口１４付近において、洗浄水の流れを阻害してしまうことを抑制することができる。
【００４１】
具体的には、開口部１０に形成された開口１４の大きさが、スプレッダー３の横幅よりも小さい、または、スプレッダー３の横幅と等しくなるように形成されていると、スプレッダー３の配置位置が開口１４に対し上方側へと離れている場合に、スプレッダー３の流出口２１から吐出された洗浄水の一部が開口１４の両端に衝突してしまうことで洗浄水の流れが阻害され、流出口２１から吐出された洗浄水が放射線状に広がることができない畏れがある。これに対し、開口部１０に形成された開口１４の大きさは、スプレッダー３の横幅よりも大きくなるように形成されている場合、スプレッダー３の配置位置が開口１４に対し上方側へと離れていても、スプレッダー３の流出口２１から吐出されてボウル部７に向けて放射線状に広がる洗浄水の流れを阻害しにくくなる。
【００４２】
さらに、開口部１０に形成された開口１４の形状は、開口部１０の両端に向けて徐々に狭くなるように形成されているため、スプレッダー３からボウル部７に向けて放射線状に洗浄水を吐出する際に、開口部１０の開口１４よりも下側の背壁部領域において、洗浄水の流れを阻害してしまうことを抑制することができる。
【００４３】
具体的には、開口部１０に形成された開口１４の形状が、開口部１０の両端に向けて徐々に狭くなるように形成されていない場合、例えば、開口１４の形状が矩形である場合には、開口１４よりも下側の背壁部８に、左右方向おける段差が形成されてしまう。そのため、スプレッダー３の流出口２１から放射線状に噴射された洗浄水が、開口部１０の開口１４から出て後側背壁１２から背壁部８の表面に沿って流れる際に、背壁部８に形成された左右方向おける段差に衝突してしまい、洗浄水の流れが阻害されてしまう畏れがある。その結果、背壁部８の両端側（左右方向の端部）に洗浄水が届かず、背壁部８の洗浄が十分行えない畏れがある。これに対し、本実施形態では、開口部１０に形成された開口１４の形状は、開口部１０の両端に向けて徐々に狭くなるように形成されているため、開口１４よりも下側の背壁部８に形成される左右方向おける段差をより小さくすることができる。よって、スプレッダー３からボウル部７に向けて放射線状に洗浄水を吐出する際に洗浄水の流れを阻害してしまうことを抑制することができる。
【００４４】
また、開口部の開口を両端に向かうにつれて狭くすることで、前側背壁と後側背壁との一体感を形成することができる。開口部１０に形成された開口１４の形状が、開口部１０の両端に向けて徐々に狭くなるように形成されていない場合、例えば、開口１４を形状が矩形である場合には、開口１４の形成箇所において前側背壁１１の下端と後側背壁１２との間に一定のギャップが開口１４と同じ幅だけ形成されることになる。このため、前側背壁１１と後側背壁１２との一体感が低下し、開口部１０付近における外観意匠性が低下する。これに対し、開口部１０に形成された開口１４の形状が、開口部１０の両端に向けて徐々に狭くなるように形成されている場合、開口１４の形成箇所において前側背壁１１の下端部１５と後側背壁１２との間に形成されるギャップは開口１４の左右端部に近づくほど徐々に小さくなるため、全体としてギャップにより生じる前側背壁１１と後側背壁１２の不連続感が低下し、開口部１０付近における外観意匠性の低下を抑制することができる。
【００４５】
次に、図６を用いて、本発明の実施形態に係る小便器装置の変形例について説明する。この変形例において、本発明の実施形態に係る小便器装置と同一の部分には同一の符号を付し、説明を省略する。図６は、本発明の実施形態に係る小便器装置の変形例を示す断面拡大図である。
【００４６】
図６示すように、この変形例の小便器装置１００では、背壁部８に設けられた開口部２２は、開口部２２よりも上方の背壁部８に連続形成された前側背壁２３と、開口部２２よりも下方の背壁部８に連続形成された後側背壁２４と、から構成される。
【００４７】
図４および図５に示す本実施形態に係る小便器装置と同様に、後側背壁２４は、背壁部８を形成する壁部分と、この背壁部８を形成する壁部分の上端部から後側に延出する水平壁部分と、水平壁部分の後方側の端部から上方へと延出する固定壁部分とにより形成される。また、固定壁部分の上端部、つまり後側背壁２４の上端部２５には、左右方向の中央を略Ｕ字形状に切り欠いた切り欠き部（図示なし）が形成される。
【００４８】
後側背壁２４は、小便器２の前後方向において、前側背壁２３よりも後方に位置している。これにより、開口部２２に形成された開口２６は、下方へ向けて開口している。すなわち、下側を端部側とする前側背壁２３の下端部の後面と、前側背壁２３の後方に位置し上側を端部側とする後側背壁２４の上端部の前面との隙間部分が、下方に向けて開口する開口部２２の開口２６となる。図６に示す変形例では、開口部２２付近において、前側背壁２４が背壁部８から後方に膨出することにより、相対的に後側背壁２４が前側背壁２３よりも後方に位置し、開口部２２において、下方へ向けて開口する開口２６が実現されている。
【００４９】
また、前側背壁２３の表面（前面）および背壁部８における後側背壁２４の下端と底部９とを繋ぐ部分の表面（前面）を背壁部８の表面が全体として沿う所定の仮想面２９上になるように形成している。言い換えると、前側背壁２３および後側背壁２４の位置関係による、背壁部８の表面（前面）の段差が最小限となるように、前側背壁２３の表面（前面）および背壁部８における後側背壁２４の下端と底部９とを繋ぐ部分の表面（前面）を形成している。具体的には、図６に示すように、前側背壁２３の前面、および後側背壁面２４の下端と底部９とを繋ぐ部分の表面（前面）が、いずれも上方から下方にかけて前側から後側に向かう斜面として形成され、これらの斜面が、背壁部８の表面が沿う所定の共通の仮想面２９上に位置するように形成されている。
【００５０】
このように、前側背壁２３の表面（前面）および背壁部８における後側背壁２４の下端と底部９とを繋ぐ部分の表面（前面）が、背壁部８の前面（前面）が全体として沿う所定の仮想面２８上になるように形成されることで、背壁部８の前面の凹凸を最小限に抑えることができる。すなわち、スプレッダー３からボウル部７に向けて洗浄水を吐出するために必要となる段差を極力小さくすることができる。よって、ボウル部７の背壁部８を清掃する際に、背壁部８をひと拭きで掃除することができ、より清掃性が向上する。さらに、背壁部の表面において開口部２２の存在を目立たなくさせることができ、背壁部８の表面形状の統一感が増し、外観意匠性を向上させることができる。
【００５１】
なお、本実施形態では、スプレッダー３は、前側背壁１１および前側背壁１１よりも上方の背壁部８の背面側に配置されているが、スプレッダー３の配置はこれに限らない。例えば、スプレッダー３の流出口付近のみを前側背壁１１および前側背壁１１よりも上方の背壁部８の背面側に配置し、それ以外の部分を後側背壁１２の背面側に配置していてもよい。いずれの場合においても、スプレッダー３が使用者から見えにくい位置に配置されることとなる。
【００５２】
また、本実施形態では、人体検知センサー４は、背壁部８の背面側（後側）に配置されているが、人体検知センサー４の配置はこれに限らない。例えば、人体検知センサーは、小便器の外部に配置されていてもよい。具体的には、例えば、人体検知センサーは、小便器の上面よりも上方に配置されていてもよい。ただし、人体検知センサーは、使用者から見えにくい位置に配置されることが好ましい。
【符号の説明】
【００５３】
１、１００      小便器装置
２  小便器
３  スプレッダー（吐水部）
４  人体検知センサー
５  小便器本体
６  小便器蓋
７  ボウル部
８  背壁部
９  底部
１０、２２  開口部
１１、２３  前側背壁
１２、２４  後側背壁
１３、２５  上端部
１４、２６  開口
１５、２７  下端部
１６  排水口
１７  流路
１８  突起部
１９  ナット
２０  流入口
２１  流出口
２８  切り欠き部
２９  仮想面
【図１】
2015055092.tif 000003
【図２】
2015055092.tif 000004
【図３】
2015055092.tif 000005
【図４】
2015055092.tif 000006
【図５】
2015055092.tif 000007
【図６】
2015055092.tif 000008